(57)【要約】【課題】２台以上の資料提示装置を接続して、主画像に対する付加画像やポイント画像の合成を相互に行いながら合成画像を共有することができ、その機能を簡素な構成で実現することができる資料提示装置を提供する。【解決手段】２台の資料提示装置を接続した場合、一方の装置の画像を主画像とし、この主画像を双方の画像表示部で表示させ、さらにこの主画像に、双方の装置で付加画像やポイント画像を付加してそれら画像を画像合成部で合成し、合成画像を相手側の装置に出力することによって両装置の画像表示部に合成画像を表示させる。主画像に対して付加画像やポイント画像を双方で繰り返し付加し合い、その都度合成画像を画像表示部に表示させることでその合成画像を互いに共有する。【選択図】　　　　図３
2004072388.tif 000002
【特許請求の範囲】
【請求項１】
少なくとも２台を相互に接続して使用することが可能な資料提示装置であって、
画像合成部に入力する主画像として、
相手側の資料提示装置が出力する画像と、資料載置台に載置された資料を撮像部が撮影したカメラ画像および記憶装置に記憶された画像および接続された外部装置が出力する外部画像等の複数の主画像候補のうちから１つを選択する第１の選択手段を有し、
前記画像合成部に入力する付加画像として、
前記資料載置台に載置された資料を前記撮像部が撮影したカメラ画像と、前記記憶装置に記憶された画像および前記接続された外部装置が出力する外部画像等の複数の付加画像候補のうちから０または１つの付加画像を選択可能な第２の選択手段を有し、
前記撮像部によって撮影された画像から抽出されるポイント情報からポイント画像を生成するポイント画像生成手段を有し、
前記第１の選択手段で選択された主画像と、前記第２の選択手段で選択された付加画像と前記ポイント画像とを合成する前記画像合成部と、
前記相手側の資料提示装置が出力する画像と、前記画像合成部で合成した画像とのうちから１つを選択する表示画像選択手段と、
この表示画像選択手段で選択された画像を表示する画像表示部と、
前記画像合成部で合成された画像を出力する画像出力部とを備えることを特徴とする資料提示装置。
【発明の詳細な説明】
【０００１】
【発明の属する技術分野】
本発明は、撮像部および画像表示部を備えた少なくとも２台の資料提示装置間において画像の相互通信を行い、かつ、画像表示部に表示される画像を共有することができる資料提示装置であって、特に、表示される画像（主画像）に他の付加画像を互いに付加し合うことができるとともに、主画像に付加画像を合成した合成画像を共有化できるようにした資料提示装置に関する。
【０００２】
【従来の技術】
プレゼンテーション用の画像表示装置として、近年ではＯＨＰの代わりに資料提示装置が普及している。この資料提示装置は、カメラを装備した撮像部で資料を撮影し、その撮影画像を、参照画像としてモニタやスクリーン等に映すように用いられる。資料としては、原稿や写真等をそのまま用いることができ、また、模型等の立体物を被写体とすることができる点で、ＯＨＰよりも格段に有用なものである。また、資料提示装置の中には、パソコン等の外部装置から画像を取り込み、その画像を出力することができるものも提供されている。
【０００３】
一般的に、プレゼンテーションにあってはプレゼンターが参照画像の特定箇所をポインタで指示しながら説明を行う場合が多く、そのポインティング操作を外部装置の画像に対して行うには、外部装置側で行う（例えばパソコンの場合はマウスでのポインタ操作となる）か、モニタやスクリーン等の表示画像に直接行うことになる。しかしながらこのような操作は資料提示装置から離れて行うことになるので面倒であり、表示画像に直接行う場合には、その表示画像を隠してしまうので好ましくないといった問題がある。そこで、特開２０００−３４１５８８号公報には、撮像部にポインティング操作を撮影させ、そのポイント画像を外部装置側の画像に合成させることによって上記問題を解決する技術が開示されている。また、このような画像合成により付加価値を高めた資料提示装置が、特許３２０１７０７号公報により知られている。
【０００４】
【発明が解決しようとする課題】
ところで、例えば遠隔地の２者間において共通の画像を参照しながら会話や討論等を行う会議や教育等が行われており、画像の相互通信を行うためのツールとして資料提示装置が検討されている。画像を相互通信する場合、画像に対してポイントや下線等を付加し合うことができれば、判りやすく充実したコミュニケーションが図られるであろう。このように画像に対して他の画像を付加することは、上記公報に記載の資料提示装置のように画像合成機能によって可能ではあるが、これら資料提示装置は合成画像を単に出力して表示させるだけであり、２台あるいはそれ以上の資料提示装置間において付加画像を繰り返し合成し、その都度合成画像を共有することはできない。現在、このような機能は専用の画像処理機器を付属させることにより実行できるが、システムが複雑化して操作が面倒になり、その上、相応の費用がかかるものであった。
【０００５】
よって本発明は、２台以上の資料提示装置を用いて画像を共有するにあたり、主画像に対する付加画像やポイント画像の合成を相互に行いながら通信することができ、その機能を簡素な構成で実現することができる資料提示装置を提供することを目的としている。
【０００６】
【課題を解決するための手段】
本発明は、少なくとも２台を相互に接続して使用することが可能な資料提示装置であって、画像合成部に入力する主画像として、相手側の資料提示装置が出力する画像と、資料載置台に載置された資料を撮像部が撮影したカメラ画像および記憶装置に記憶された画像および接続された外部装置が出力する外部画像等の複数の主画像候補のうちから１つを選択する第１の選択手段を有し、画像合成部に入力する付加画像として、資料載置台に載置された資料を撮像部が撮影したカメラ画像と、記憶装置に記憶された画像および接続された外部装置が出力する外部画像等の複数の付加画像候補のうちから０または１つの付加画像を選択可能な第２の選択手段を有し、撮像部によって撮影された画像から抽出されるポイント情報からポイント画像を生成するポイント画像生成手段を有し、第１の選択手段で選択された主画像と、第２の選択手段で選択された付加画像とポイント画像とを合成する画像合成部と、相手側の資料提示装置が出力する画像と、画像合成部で合成した画像のうちから１つを選択する表示画像選択手段と、この表示画像選択手段で選択された画像を表示する画像表示部と、画像合成部で合成された画像を出力する画像出力部とを備えることを特徴としている。
【０００７】
本発明によると、例えば遠隔した２箇所に当該資料提示装置をそれぞれ設置し、双方において画像表示部に表示される画像を共有しながら、会議や教育等の情報交換の形態を実施することができる。本発明で言う“画像の共有”とは、同じ画像データを各々が保持し、その画像を同時に視認することができるといった意味である。本発明では、主画像に付加画像とポイント画像とが合成された合成画像を共有することができる。主画像は付加画像やポイント画像を付加する元となる画像であり、一方の装置の上記主画像候補のうちの１つが主画像として第１の選択手段で選択され、画像表示手段を適宜に選択することにより、双方の装置の画像表示部に、選択した主画像が表示される。そして、この主画像に対し双方の装置で付加画像やポイント画像を付加することができる。付加画像は、第２の選択手段で上記付加画像候補のうちから選択した画像である。また、ポイント画像は、撮像部によって撮影された画像から抽出されるポイント情報から生成される画像である。
【０００８】
本発明では、複数の使用者間で、上記のように主画像に対し付加画像やポイント画像を付加し合いながら合成画像を双方でやり取りして共有することをができ、リアルタイムで共有画像に基づくコミュニケーションを図ることができる。また、上記合成画像表示機能を資料提示装置自身が有していることから、従来のような画像処理機器を不要とし、画像を共有するための構成が簡素化するとともに、操作を容易とすることができる。
【０００９】
【発明の実施の形態】
以下、図面を参照して本発明の一実施形態を説明する。
（１）資料提示装置の構成
図１は、一実施形態に係る資料提示装置１，２（以下、装置１，２と略称する）を用いて画像および音声を相互通信する状態を模式的に示している。装置１，２は同一構成であり、これら装置１，２は、資料載置台１１と、この資料載置台１１にアーム１２を介して支持され、資料載置台１１に置かれた原稿等の資料Ｓを撮影する撮像部１３と、ディスプレイ（画像表示部）１４と、音声を入出力するためのマイク／スピーカ１５とを備えている。ディスプレイ１４は、資料載置台１１上の資料設置箇所の奥に、資料載置台１１の前に位置する図示せぬ使用者に向けて後傾した状態で設置されている。
【００１０】
撮像部１３は、カメラ１３ａと、カメラ１３ａが赤外光のみを撮影画像可能とする光学フィルタ１３ｂとを備えている。光学フィルタ１３ｂは、カメラ１３ａに対して、該カメラ１３ａの撮像光路中に挿脱自在に設けられており、撮像光路中に挿入された状態と外れた状態のいずれかに、手動あるいは自動制御により切り換えられるようになっている。光学フィルタ１３ｂを外した状態でカメラ１３ａにより資料Ｓは撮影され、その撮影画像はディスプレイ１４に表示される。
【００１１】
図１の符号２０は、使用者が、例えば資料Ｓの特定箇所を指示するために用いるペンである。このペン２０は、先端に赤外光を発光する指示マーク２１が設けられている。指示マーク２１はスイッチをＯＮすることで発光するＬＥＤ等で構成され、使用者はこのペン２０の指示マーク２１を指示すべき箇所に当ててポインティングを行う。
【００１２】
装置１，２の各ディスプレイ１４に表示される画像は相互に入出力され、同じ画像が各ディスプレイ１４に表示される、すなわち共有可能となっている。また、装置１，２の各マイク／スピーカ１５に入力される音声も相互に入出力され、一方のマイク／スピーカ１５に入力された音声が他方のマイク／スピーカ１５から出力されるようになっている。画像および音声の相互通信手段は、装置１，２が設置される場所やインタフェースなどに応じて適宜なものが選択され、図１では、通信用のケーブル３０によるものとしている。
【００１３】
上記装置１，２では、ディスプレイ１４に表示される画像を共有しながらマイク／スピーカ１５を利用して会話することができ、さらに、ディスプレイ１４に表示される主画像に対して付加画像を相互に合成させて、その合成画像もその都度共有することができるようになっている。
【００１４】
上記主画像は、各装置１，２がそれぞれ保有する画像であり、主画像に採用される主画像候補としては、まず、カメラ１３ａで撮影されるカメラ画像（資料Ｓ等が被写体である）が挙げられる。また、各装置１，２内に搭載される内部記憶装置、あるいは装置１，２に脱着されるリムーバブル型の外部記憶媒体に記憶された記憶画像、装置１，２に接続されたパソコン等の外部装置が生成する外部画像も主画像候補とされる。さらに主画像候補としては、相手側の装置から出力されて自装置に入力する相手画像が挙げられる。また、主画像に合成される付加画像候補としては、自装置側における上記したカメラ画像、記憶画像および外部画像である。また、ディスプレイ１４に表示される画像は、自装置側の画像か、あるいは相手側の装置から出力されて自装置に入力される画像のいずれかである。
【００１５】
そこで、装置１，２には、図２に示すように、画像選択パネル１６が設けられている。この画像選択パネル１６には、主画像候補の中から主画像をどれにするか、付加画像候補の中から付加画像をどれにするか、そして、ディスプレイ１４に表示される画像を自装置のものか相手側の装置のものとするかを、それぞれ選択するボタンが配列されている。
【００１６】
主画像を選択するボタンは、主画像選択部（第１の選択手段）７０に配列されており、ここには、相手側の装置からの出力画像を選択する入力１ボタン７１と、自装置のカメラ画像を選択するカメラボタン７２と、自装置の記憶画像を選択するメモリボタン７３と、自装置に接続された外部装置（この場合、パソコンとする）から入力する外部画像を選択するパソコンボタン７４と、これら以外の画像を選択できる場合を想定した予備ボタン７５とが配列されている。
【００１７】
また、付加画像を選択するボタンは、付加画像選択部（第２の選択手段）８０に配列されており、ここには、カメラ画像を選択するカメラボタン８１と、記憶画像を選択するメモリボタン８２と、外部画像を選択するパソコンボタン８３と、これら以外の画像を選択できる場合を想定した予備ボタン８４とが配列されている。付加画像の場合は、全て自装置の画像である。また、ディスプレイ１４に表示する画像を選択するボタンは、表示画像選択部（表示画像選択手段）９０に配列されており、ここには、相手側の装置からの出力画像を選択する入力１ボタン９１と、合成画像を選択する合成画像ボタン９２とが配列されている。
【００１８】
図３（ａ）は装置１側において画像合成を実行する機能ブロック図、図４（ａ）は装置２側における同様の機能ブロック図である。構成の面では両者とも同一であるが、後で説明する「資料提示装置の作用」において、入出力される画像の経路を理解容易とするために、あえてそれぞれの機能ブロック図を示した。
【００１９】
装置１，２は、入力された複数の画像を一般的な画像合成法によって合成する画像合成回路（画像合成部）４０を有している。この画像合成回路４０には、主画像として自装置側の画像と相手側の装置からの出力画像のいずれか一方が入力される。自装置側の主画像候補は、カメラ画像、記憶画像、外部画像であって、この中から第３のセレクタ６３により１つが選択され、その主画像は入力ライン４１を経て第１のフレームメモリ５１に入力され、ここで一旦蓄積される。また、相手側の装置からの出力画像は入力１から入力ライン４２を経て第２のフレームメモリ５２に入力され、ここで一旦蓄積される。そして、自装置側の画像と相手側の装置からの出力画像のいずれか一方が第１のセレクタ６１により選択され、主画像として画像合成回路４０に入力される。この場合の第３のセレクタ６３および第１のセレクタ６１の設定切り換えは、上記画像選択パネル１６における主画像選択部７０の各ボタン７１〜７４のうちのいずれか１つが押されることにより行われる。
【００２０】
また、画像合成回路４０には、主画像に付加する付加画像が入力ライン４３から直接入力され、さらにポイント画像生成部（ポイント画像生成手段）４５からポイント画像も直接入力される。入力ライン４３から画像合成回路４０に入力される付加画像は、カメラ画像、記憶画像および外部画像のうちから第４のセレクタ６４によって選択される０または１つの画像である。この場合の第４のセレクタ６４の設定切り換えは、上記画像選択パネル１６における付加画像選択部８０の各ボタン８１〜８３のうち１つも押されないかまたはいずれか１つが押されることにより行われる。ポイント画像生成部４５では、撮像部１３で撮影された画像から抽出されるポイント情報からポイント画像が生成され、このポイント画像は画像合成回路４０に直接入力される。ポイント画像の生成に関しては、後述する「ペンによるポインティング機能」で説明する。
【００２１】
画像合成回路４０では、第１のセレクタ６１で選択された主画像に対し、第４のセレクタ６４で選択された付加画像と、ポイント画像生成部４５でポイント画像が生成された場合はそのポイント画像とが合成され、その合成画像は、出力１から相手側の装置に出力されるとともに、第２のセレクタ６２に入力される。第２のセレクタ６２には、第２のフレームメモリ５２から相手側の装置からの出力画像も入力されるようになっており、この第２のセレクタ６２によって、相手側の装置からの出力画像か合成画像かのいずれか一方が選択され、ディスプレイ１４に出力される。第２のセレクタ６２の設定切り換えは、上記画像選択パネル１６における表示画像選択部９０の各ボタン９１，９２のうちのいずれか１つが押されることにより行われる。
【００２２】
（２）ペンによるポインティング機能
上記装置１，２においては、撮像部１３とペン２０の指示マーク２１とによって、資料載置台１１に置いた資料Ｓの特定箇所をディスプレイ１４の表示画面にペン２０や手を映すことなくポイントを指示することができる。そのポインティング機能の作用を、以下に説明する。
【００２３】
まず、資料載置台１１の上面すなわち資料載置面におけるカメラ１３ａの撮影画角内に、一般的な画像解析法によって仮想スクリーンのＸＹ座標を設定する。仮想スクリーンの設定法としては、次の方法が挙げられる。すなわち、光学フィルタ１３ｂを挿入した状態で、カメラ１３ａの撮影画角の少なくとも対角隅点２箇所でペン２０の指示マーク２１を順次発光させ、これをカメラ１３ａにより撮影し、その画像データから各発光点である指示マーク２１の位置を認識する。そして、画像処理によって指示マーク２１の位置から設定すべき仮想スクリーンのＸＹ座標を生成する。これで不可視な仮想スクリーンが資料載置台１１上に設定され、この仮想スクリーンは、カメラ１３ａと資料載置台１１との間隔が変わらない限り固定的とされる。すなわち、仮想スクリーンの設定は初期設定として１回行えばよい。また、資料載置台１１の上に資料Ｓを置き、その上からポインティングを行う場合は、カメラ１３ａの撮影画角全体を仮想スクリーンとすれば、資料Ｓ上の位置を直接ポインティングすることが可能である。
【００２４】
資料載置台１１に資料Ｓを置くと、その資料Ｓ上には仮想スクリーンが設定されており、ポインティングを行う際には、カメラ１３ａに光学フィルタ１３ｂを挿入した状態で、資料Ｓ上においてペン２０の指示マーク２１を発光させる。すると、指示マーク２１がカメラ１３ａで撮影され、その画像データを基に仮想スクリーンの座標上での指示マーク２１の位置座標が逐一算出される。そして、ポイント画像生成部４５において算出された指示マーク２１の位置座標に矢印等のポイント画像等が生成される。そのポイント画像は、画像合成回路４０に直接入力されるとともに該画像合成回路４０に入力された主画像と合成される。
【００２５】
（３）資料提示装置の作用
次に、上記資料提示装置１，２の具体的な作用例を説明する。
［装置１］
図３（ｂ）は、装置１側の作用のフローを示している。同図に示すように、装置１では主画像を装置１，２のどちらの画像にするか、そして、主画像を自装置側とする場合にはその主画像をどれにするかを選択する（ステップＳ１０１）。ここでは、装置１側の画像Ａを主画像とするものとし、画像選択パネル１６における主画像選択部７０の入力１ボタン７１以外のボタン７２〜７４のうちのいずれか１つを押す。これにより、装置１では主画像となる画像Ａが画像合成回路４０に入力される。
【００２６】
次に、表示画像選択部９０の入力１ボタン９１を押し、ディスプレイ１４に表示される画像を装置２からの出力画像に選択する（ステップＳ１０２）。装置１側では、上述したようにペン２０の指示マーク２１によって資料Ｓに対しポインティングを行い（ステップＳ１０３）、これによるポイント画像ａがポイント画像生成部４５から画像合成回路４０に入力される。なお、この場合は付加画像はいずれも選択しない。
【００２７】
［装置２］
一方、図４（ｂ）のフローに示すように、装置２側においても共有する主画像を装置１，２のどちらの画像にするかを選択する（ステップＳ２０１）。ここでは、上記のように主画像として装置１側の画像Ａを選択したことにしたがい、画像選択パネル１６における主画像選択部７０の入力１ボタン７１を押す。これにより、装置２では、装置１からの出力画像が主画像として画像合成回路４０に入力される。
【００２８】
次に、表示画像選択部９０の合成画像ボタン９２を押し、ディスプレイ１４に表示される画像を画像合成回路４０から出力される合成画像に選択する。装置２側でも、装置１と同様に付加画像はいずれも選択せず、ペン２０の指示マーク２１によって資料Ｓに対しポインティングを行うものとし（ステップＳ２０３）、これによるポイント画像ｂがポイント画像生成部４５から画像合成回路４０に入力される。
【００２９】
装置１，２に対する上記の設定により、装置１の画像合成回路４０においては、主画像Ａに対してポイント画像ａが合成され、その合成画像Ａ＋ａは出力１からケーブル３０を経て装置２の入力１に入力され、装置２のディスプレイ１４にその合成画像Ａ＋ａが表示される（図４（ｂ）のステップＳ２０２）。装置２の使用者は、ディスプレイ１４に表示される合成画像Ａ＋ａを見て必要箇所を指示マーク２１によりポインティングを行う（図４（ｂ）のステップＳ２０３）。装置２の画像合成回路４０には、装置１から出力された合成画像Ａ＋ａが入力ライン４２から入力されており、画像合成回路４０では、さらにその合成画像Ａ＋ａにポイント画像ｂが合成される。その合成画像Ａ＋ａ＋ｂは、装置２のディスプレイ１４に表示されるとともに、出力１からケーブル３０を経て装置１の入力１に入力され、装置１のディスプレイ１４に表示される（図３（ｂ）のステップＳ１０４，図４（ｂ）のステップＳ２０４）。これによって、装置１，２の使用者は、ディスプレイ１４に表示された合成画像Ａ＋ａ＋ｂを共有する。
【００３０】
次に、主画像を装置２側の画像Ｂとする場合には、図３（ｂ）のステップＳ１０５〜Ｓ１０７および図４（ｂ）のステップＳ２０５〜Ｓ２０７に示すように、上記と同じ流れで画像合成作用が進められていく。
【００３１】
図５は、上記の画像合成作用を装置１側と装置２側に分けて時系列順に示しており、主画像Ａ１、ポイント画像ａ１（矢印）、ポイント画像ｂ１（下線）は、それぞれ上記の主画像Ａ、ポイント画像ａ、ポイント画像ｂに準じたものである。図５では、引き続き装置１で主画像Ａ２に対し新たな箇所にポインティングを行ってポイント画像ａ２を合成し、この合成画像Ａ２＋ａ２を装置２に出力して装置２で新たな箇所にポインティングを行い、ポイント画像ｂ２を合成させ、双方のディスプレイ１４に合成画像Ａ２＋ａ２＋ｂ２が表示されるまでを示している。このように、装置１，２においては、ディスプレイ１４に出力されて共有する合成画像に対しポイント画像を付加していくことができる。なお、その際には勿論、マイク／スピーカ１５によって会話を随時行うことができる。
【００３２】
図６は、教師が算数の問題を生徒に教える教育に適用した例を示している。この場合、装置１の主画像Ａ１０に対し、装置２側において選択した１つの付加画像ｂ１０を合成させ、合成画像Ａ１０＋ｂ１０が入力された装置１側において、その合成画像Ａ１０＋ｂ１０にポイント画像ａ１０を合成させ、装置１，２のディスプレイ１４に合成画像Ａ１０＋ｂ１０＋ａ１０を表示させた場合を示している。
【００３３】
図７は、３台の資料提示装置を、装置１，２，３，１…の順にループさせてディジチェーン状に接続し、主画像に対して装置１，２，３の順にポイント画像を合成しながら画像を共有する例を示している。各装置１〜３の出力１、２は、次の装置の入力１，２にそれぞれ接続され、主画像およびポイント画像は一方通行で循環する。ここでは、次のような画像のやり取りが行われた状態を示している。まず、各装置１〜３では、主画像を装置１が保有する画像Ａに設定する。次に、装置１においてポインティングがなされることにより主画像Ａに対しポイント画像ａが合成され、合成画像Ａ＋ａが装置２，３に送られる。この後、装置１では、自身に合成画像が入力されるべく、画像選択部７０の入力１ボタン７１を押す。装置２では合成画像Ａ＋ａにポイント画像ｂが合成され、合成画像Ａ＋ａ＋ｂが装置３，１に送られる。次いで装置３で合成画像Ａ＋ａ＋ｂにポイント画像ｃが合成され、合成画像Ａ＋ａ＋ｂ＋ｃが装置１，２に送られる。これによって３台の装置１〜３が合成画像Ａ＋ａ＋ｂ＋ｃを共有する。
【００３４】
上記実施形態に係る資料提示装置によれば、従来のように画像処理機器を外付けすることなく、主画像に付加画像を付加し合いながら、これら画像の合成画像を双方でやり取りして共有することをができ、リアルタイムで共有画像に基づくコミュニケーションを図ることができる。また、合成画像表示機能を資料提示装置自身が有していることから、従来のような画像処理機器を不要とし、画像を共有するための構成が簡素化するとともに、画像の相互通信のための操作も簡単なボタン操作で行うことができる。また、用いる装置が同一構成なのでコストの上昇を抑えることができるなど、製造上のメリットを有する。
【００３５】
【発明の効果】
以上説明したように、本発明によれば、２台以上の資料提示装置を接続することにより、主画像に対する付加画像やポイント画像の合成を相互に、かつ繰り返し行いながら合成画像を共有することができ、その機能を簡素な構成で実現することができるといった効果を奏する。
【図面の簡単な説明】
【図１】本発明の一実施形態に係る２台の資料提示装置を用いて画像および音声を相互通信する状態を模式的に示す図である。
【図２】資料提示装置に設けられた画像選択パネルの図である。
【図３】（ａ）一方の資料提示装置の機能ブロック図、（ｂ）同装置の画像合成動作のフローである。
【図４】（ａ）他方の資料提示装置の機能ブロック図、（ｂ）同装置の画像合成動作のフローである。
【図５】画像合成課程を示す画像のフローである。
【図６】一実施形態の資料提示装置を教育に適用した場合の合成画像例である。
【図７】３台の資料提示装置の接続形態を示す図である。
【符号の説明】
１，２…資料提示装置
１１…資料載置台
１３…撮像部
１４…ディスプレイ（画像表示部）
４０…画像合成回路（画像合成部）
４５…ポイント画像合成部（ポイント画像生成手段）
７０…主画像選択部（第１の選択手段）
８０…付加画像選択部（第２の選択手段）
９０…表示画像選択部（表示画像選択手段）
出力１…画像出力部
Ａ…主画像
ａ，ｂ…ポイント画像
ｂ１０…付加画像
Ｓ…資料
【図１】
2004072388.tif 000003
【図２】
2004072388.tif 000004
【図３】
2004072388.tif 000005
【図４】
2004072388.tif 000006
【図５】
2004072388.tif 000007
【図６】
2004072388.tif 000008
【図７】
2004072388.tif 000009